(57)【要約】【課題】１または複数の所望の機能を発現する上で最適な組成を有するミネラル含有水溶液組成物ならびにそれを用いた植物成長促進剤組成物、消臭剤組成物、動物成長促進剤組成物、毛髪活性剤組成物および鮮度保持剤組成物を提供する。【解決手段】３００〜５００ｍｇ／Ｌのケイ酸またはケイ酸塩と、１００〜３００ｍｇ／Ｌのカルシウムイオンと、１５００〜２０００ｍｇ／Ｌの硫酸または硫酸イオンと、２０００〜３０００ｍｇ／Ｌの水溶性キトサンと、１５００〜２５００ｍｇ／Ｌのアミノ酸とを含むことを特徴とするミネラル含有水溶液組成物。【選択図】なし【特許請求の範囲】
【請求項１】
３００〜５００ｍｇ／Ｌのケイ酸またはケイ酸塩と、
１００〜３００ｍｇ／Ｌのカルシウムイオンと、
１５００〜２０００ｍｇ／Ｌの硫酸または硫酸イオンと、
２０００〜３０００ｍｇ／Ｌの水溶性キトサンと、
１５００〜２５００ｍｇ／Ｌのアミノ酸とを含むことを特徴とするミネラル含有水溶液組成物。
【請求項２】
ケイ酸およびカルシウム塩の一方または双方を含む１または複数種の鉱物を硫酸水溶液で抽出後、抽出液に水溶性キトサンおよび１または複数種のアミノ酸を添加して得られることを特徴とする請求項１記載のミネラル含有水溶液組成物。
【請求項３】
前記アミノ酸が、ロイシン、フェニルアラニンおよびスレオニンであることを特徴とする請求項１または２記載のミネラル含有水溶液組成物。
【請求項４】
請求項１から３のいずれか１項記載のミネラル含有水溶液組成物を水で５００〜２５００倍に希釈した植物成長促進組剤成物。
【請求項５】
請求項１から３のいずれか１項記載のミネラル含有水溶液組成物を水で５００〜２５００倍に希釈した消臭剤組成物。
【請求項６】
請求項１から３のいずれか１項記載のミネラル含有水溶液組成物を水で５００〜５０００倍に希釈した動物成長促進剤組成物。
【請求項７】
請求項１から３のいずれか１項記載のミネラル含有水溶液組成物を水または洗髪剤で１〜１０００倍に希釈した毛髪活性剤組成物。
【請求項８】
請求項１から３のいずれか１項記載のミネラル含有水溶液組成物を水で５０〜２５００倍に希釈した鮮度保持剤組成物。
【発明の詳細な説明】
【技術分野】
【０００１】
本発明は、ミネラル含有水溶液組成物の改良ならびにそれを用いた新規な植物成長促進剤組成物、消臭剤組成物、動物成長促進剤組成物、毛髪活性剤組成物および鮮度保持剤組成物に関する。
【背景技術】
【０００２】
ミネラルを含有する水溶液には、種々の化学作用や生理活性が存在することが知られている。そこで、利用目的に応じて、特定の無機塩を水に溶解させたり、天然鉱物から無機酸等を利用してミネラル分を抽出したりすることにより、様々な成分を含有する種々のミネラル含有水溶液が製造されている。ミネラル含有水溶液の用途としては、飲料水または植物生育剤（例えば、特許文献１、２参照）、汚水処理（例えば、特許文献３参照）、消臭（例えば、特許文献４参照）等が挙げられる。
【先行技術文献】
【特許文献】
【０００３】
【特許文献１】特開２００５−２７９４７０号公報
【特許文献２】特開２００８−１３６９４５号公報
【特許文献３】特開２０１０−５５３２号公報
【特許文献４】特開平６−２１８０３１号公報
【発明の概要】
【発明が解決しようとする課題】
【０００４】
しかしながら、これらの従来技術に係るミネラル含有水溶液において、機能と組成との関係および所望の１または複数の機能を発現させるために必要な各成分の濃度は、必ずしも明確ではなかった。
【０００５】
本発明はかかる事情に鑑みてなされたもので、１または複数の所望の機能を発現する上で最適な組成を有するミネラル含有水溶液組成物ならびにそれを用いた植物成長促進剤組成物、消臭剤組成物、動物成長促進剤組成物、毛髪活性剤組成物および鮮度保持剤組成物を提供することを目的とする。
【課題を解決するための手段】
【０００６】
本発明は、下記の［１］〜［３］記載のミネラル含有水溶液組成物、［４］記載の植物成長促進剤組成物、［５］記載の消臭剤組成物、［６］記載の動物成長促進剤組成物、［７］記載の毛髪活性剤組成物および［８］記載の鮮度保持剤組成物を提供する。
［１］  ３００〜５００ｍｇ／Ｌのケイ酸またはケイ酸塩と、
１００〜３００ｍｇ／Ｌのカルシウムイオンと、
１５００〜２０００ｍｇ／Ｌの硫酸または硫酸イオンと、
２０００〜３０００ｍｇ／Ｌの水溶性キトサンと、
１５００〜２５００ｍｇ／Ｌのアミノ酸とを含むことを特徴とするミネラル含有水溶液組成物。
［２］  ケイ酸およびカルシウム塩の一方または双方を含む１または複数種の鉱物を硫酸水溶液で抽出後、抽出液に水溶性キトサンおよび１または複数種のアミノ酸を添加して得られる上記［１］記載のミネラル含有水溶液組成物。
［３］  前記アミノ酸が、ロイシン、フェニルアラニンおよびスレオニンである上記［１］または［２］記載のミネラル含有水溶液組成物。
［４］  上記［１］から［３］のいずれか１項記載のミネラル含有水溶液組成物を水で５００〜２５００倍に希釈した植物成長促進組剤成物。
［５］  上記［１］から［３］のいずれか１項記載のミネラル含有水溶液組成物を水で５００〜２５００倍に希釈した消臭剤組成物。
［６］  上記［１］から［３］のいずれか１項記載のミネラル含有水溶液組成物を水で５００〜５０００倍に希釈した動物成長促進剤組成物。
［７］  上記［１］から［３］のいずれか１項記載のミネラル含有水溶液組成物を水または洗髪剤で１〜１０００倍に希釈した毛髪活性剤組成物。
［８］  上記［１］から［３］のいずれか１項記載のミネラル含有水溶液組成物を水で５０〜２５００倍に希釈した鮮度保持剤組成物。
【発明の効果】
【０００７】
本発明のミネラル含有水溶液組成物は、ケイ酸またはケイ酸塩、カルシウムイオンおよび硫酸または硫酸イオンの濃度比を最適化することにより、希釈倍率を適宜調節することにより、種々の機能を発現させることができる。さらに、ミネラル成分以外の水溶性キトサンおよびアミノ酸を添加することにより、ミネラル成分のみでは得られない機能を発現させることができる。また、本発明は、植物成長促進剤組成物、消臭剤組成物、動物成長促進剤組成物、毛髪活性剤組成物および鮮度保持剤組成物を提供できる。
【発明を実施するための形態】
【０００８】
続いて、本発明を具体化した実施の形態につき説明し、本発明の理解に供する。
本発明の一実施の形態に係るミネラル含有水溶液組成物（以下、「ミネラル含有水溶液組成物」と略称する。）は、３００〜５００ｍｇ／Ｌのケイ酸またはケイ酸塩と、１００〜３００ｍｇ／Ｌのカルシウムイオンと、１５００〜２０００ｍｇ／Ｌの硫酸または硫酸イオンと、
２０００〜３０００ｍｇ／Ｌの水溶性キトサンと、１５００〜２５００ｍｇ／Ｌのアミノ酸とを含んでいる。
【０００９】
ミネラル含有水溶液組成物は、上記のような範囲内の組成となるように、ケイ酸、カルシウムイオン、および硫酸または硫酸イオンを含む原料を含む水溶液を調製し、水溶性キトサンおよびアミノ酸を添加することにより得られる。なお、水溶性キトサンおよびアミノ酸は、上記水溶液の調製の際に上記原料と同時に添加してもよい。また、ケイ酸、カルシウムイオン、および硫酸または硫酸イオンを含む原料は、必ずしも水溶性である必要はなく、その場合、硫酸等の無機酸を用いて溶解させ、あるいは固液抽出を行うことにより水溶液を調製してもよい。
【００１０】
ケイ酸またはケイ酸イオンを含む原料としては、オルトケイ酸塩、メタケイ酸塩、水ガラス、アルミノケイ酸塩等の水溶性のものに加え、シリカ、石英、ゼオライト、雲母を始めとする天然鉱物や、ガラスカレットやセラミックス等の廃棄物等を用いることもできる。
【００１１】
カルシウムイオンを含む原料としては、各種カルシウム塩に加え、石灰岩、大理石等の含カルシウム鉱物を用いることもできる。
【００１２】
硫酸または硫酸イオンを含む原料としては、上記金属を含む各種金属の硫酸塩、硫酸水素塩、硫酸アンモニウム等の硫酸塩に加え、硫酸を用いることもできる。特に、ケイ酸イオンおよびカルシウムイオンを含む原料として鉱物類を用いる場合、溶媒あるいは抽出溶媒として希硫酸を用いてもよい。
【００１３】
水溶性キトサンとしては、任意の分子量のキトサン塩酸塩等の、水に可溶なキトサンを用いることができる。なお、キトサンは希酸に可溶であるため、遊離のキトサンであってもよい。また、キトサンは、脱アセチル化されていないＮ−アセチルグルコサミン単位を含んでいてもよい。
【００１４】
アミノ酸としては、任意のアミノ酸を単独で、あるいは任意の２以上を任意の重量比で用いてもよい。好ましいアミノ酸としては、疎水性アミノ酸であるロイシン、フェニルアラニンおよびスレオニンが挙げられ、より好ましくは、これらを重量比１：１：１で混合した混合物が挙げられる。
【００１５】
ミネラル含有水溶液組成物の原料として、水溶性の原料のみを用いる場合、所定の濃度となるようそれぞれの原料を秤量し、これらを水に溶解させることにより製造される。ミネラル含有水溶液組成物の製造に用いる水について特に制限はなく、ミネラル含有水溶液組成物に要求される水質基準に応じて、天然水、井戸水、水道水等の水をそのまま用いてもよく、必要ならばイオン交換樹脂、半透膜、中空糸等を用いた浄水処理や蒸留等の精製処理を行った水を用いてもよい。
【００１６】
ミネラル含有水溶液組成物の原料として水に不溶性の鉱物等の固体原料を用いる場合、無機酸、例えば硫酸を含む水溶液に原料を浸漬し、所定の温度、所定の時間放置することにより、１または複数のミネラル分を溶解させる。必要に応じて加熱したり、撹拌、超音波照射等の処理を併用してもよい。
【００１７】
固体原料は、ケイ酸塩およびカルシウムの一方または双方を含有する１または複数のものを用いることができ、複数の固体原料を用いる場合、所望の濃度および組成のミネラル含有水溶液組成物が得られるよう、複数の固体原料を任意の組み合わせで、かつ任意の混合比で用いることができる。固体原料の選択および複数種の固体原料を用いる場合におけるそれらの混合比を一義的に決定するのは必ずしも容易でないが、得られる水溶液に含まれる各成分の濃度と溶解または抽出に用いる条件との相関を予め検討しておくことにより、半経験的にそれらを決定することができる。
【００１８】
必要に応じて、上記以外の成分を含む原料を副原料として用いてもよい。副原料に含まれる成分は特に限定されないが、ナトリウム、カリウム等のアルカリ金属、マグネシウム等のアルカリ土類金属、鉄、亜鉛、銅等の金属成分を含むものが挙げられる。また、金属塩以外にも、香味料、着香料、保存料等の添加物をさらに含んでいてもよい。例えば、消臭剤組成物の原液としてミネラル含有水溶液組成物を用いる場合には、臭気のマスキング剤として、ハーブエキス等の着香料を含んでいてもよい。
【００１９】
このようにして得られたミネラル含有水溶液組成物は、直接、あるいは所定の割合に水で希釈して、植物成長促進剤組成物、消臭剤組成物、動物成長促進剤組成物、毛髪活性剤組成物および鮮度保持剤組成物として用いることができる。
【００２０】
例えば、ミネラル含有水溶液組成物を植物成長促進組剤成物の原液として用いる場合、水で５００〜２５００倍に希釈する。このようにして得られる植物生長促進剤組成物は、野菜、果樹、穀物等の農作物、花卉類、盆栽等の園芸植物の成長の促進、秀品率の向上等に用いることができる。
【００２１】
また、ミネラル含有水溶液組成物を消臭剤組成物の原液として用いる場合にも、水で５００〜２５００倍に希釈する。このようにして得られる消臭剤組成物は、有機性廃棄物や動物飼育環境の消臭に用いることができる。
【００２２】
ミネラル含有水溶液組成物を動物成長促進剤組成物の原液として用いる場合、水で５００〜５０００倍に希釈する。このようにして得られる動物成長促進剤組成物は、動物および魚類の成長促進および罹患防止に用いることができる。
【００２３】
ミネラル含有水溶液組成物を毛髪活性剤組成物の原液として用いる場合、水または洗髪剤で１〜１０００倍に希釈する。このようにして得られる毛髪活性剤組成物は、毛髪の脱毛減少、毛髪の生育促進及びフケの減少に用いることができる。
【００２４】
ミネラル含有水溶液組成物を鮮度保持剤組成物の原液として用いる場合、水で５０〜２５００倍に希釈する。このようにして得られる鮮度保持剤組成物は、生鮮食品および花卉類の鮮度保持に用いることができる。
【実施例】
【００２５】
次に、本発明の作用効果を確認するために行った実施例について説明する。
【００２６】
実施例１：ミネラル含有水溶液組成物の調製
所定量のケイ酸含有鉱物および石灰含有鉱物を粉砕し、希硫酸（０．０２ｍｏｌ／Ｌ）に浸漬後、室温で放置した。所定時間放置後、水溶液をろ過し、不溶分を除去した。このようにして得られた水溶液１Ｌあたり、２．５ｇの水溶性キトサン、２ｇのアミノ酸（ロイシン、フェニルアラニンおよびトレオニンの等量混合物）、１００ｍｇのハーブエキス（レモンバーム）を加えた。
【００２７】
このようにして得られたミネラル含有水溶液組成物のケイ酸またはケイ酸塩、カルシウムイオン、硫酸イオン濃度は、それぞれ、４００ｍｇ／Ｌ、２１０ｍｇ／Ｌ、１８００ｍｇ／Ｌであった。
【００２８】
実施例２：鶏舎の消臭実験
烏骨鶏２０羽のいる鶏舎において、１０００倍希釈したミネラル含有水溶液組成物５０ｃｃを、１日１回とり小屋内部全体に１週間噴霧した。濃度の測定は、とり小屋の床面から１０ｃｍの高さで、１日目最初に噴霧する直前に測定し、次いで１週間後に噴霧した直後に実施した。
上記の方法によって濃度を測定した結果、アンモニア濃度が１日目に噴霧する前の１００ｐｐｍから、７日目噴霧後の１０ｐｐｍに低下した。
【００２９】
実施例３：金魚用水槽の清浄化、水草および金魚の成長促進実験
６０Ｌ用水槽に６０Ｌの井戸水を入れたものに、ミネラル含有水溶液組成物３０ｍＬを入れ、そこに夜店で購入した金魚および水草を入れた（以下本水槽を「Ａ水槽」と称する。）。Ａ水槽は循環式（フイルター付）水槽であり、ヒーター（サーモスタット付き）付きである。また、Ａ水槽の底には砂利が堆積している。えさやりは市販の金魚のえさを１日１回実施している。なお、Ａ水槽は直射日光の当たらない室内に保管している。Ａ水槽の水が蒸発し減少した分については、その都度井戸水を補充している。Ａ水槽には、一般に使用されているカルキ抜き剤や、水質調整剤は使用していない。
【００３０】
結果は下記のとおりであった。
（１）金魚は３年間で当初の３ｃｍから１５ｃｍに成長した。動きは俊敏である。病気等に罹患したことはない。
（２）水草は３年間で繁茂が顕著である。
（３）Ａ水槽の水は３年間交換していない。水のぬめりや悪臭はない。えさの食べ残しや糞尿は水底に堆積していない。
（４）３年後の現在Ａ水槽の水のｐＨは６．８１である。
（５）３年間、フイルター交換、フイルター清掃および砂利清掃はしていない。
【００３１】
実施例４：毛髪活性化実験
被験者は男性Ｉ氏、５８歳。施用前は頭頂部特に薄毛、そりこみが顕著に見られ、前髪の量は僅少であり、ふけおよび脱毛が顕著に認められた。
【００３２】
下記のアおよびイに記載の方法により、毛髪活性化組成物の施用を行った。
ア  シャンプー２００ｍＬにミネラル含有水溶液組成物１０ｍＬを注入し、毎夕入浴時に洗髪時に施用。
イ  前項アと併行して、水２００ｍｌに本件液１０ｍＬを注入した希釈液を１日に２０ｍＬ頭部に５回くらいに分けスプレーして施用。
【００３３】
結果は、下記の表１に示す通りであった。「○」は改善が見られたことを示す。全ての評価項目について、施用開始から６週間程度で改善が見られた。
【００３４】
【表１】
2013013880.tif 000002
【００３５】
実施例５：
ハウス内のガーベラを１００鉢ずつＡ群およびＢ群に分け、両群に肥料と水を与えた。Ｂ群にはさらにミネラル含有水溶液組成物の１０００倍希釈液２５０ｍＬを、１０日に１回各鉢の土に与えた。Ａ、Ｂ両群について、月別の１鉢あたりの採花本数の平均値を調べた。
【００３６】
結果は下記の表２に示す通りであった。表２から明らかなように、Ｂ群について、採花本数の有意な増大が認められた。
【００３７】
【表２】
2013013880.tif 000003